(57)【要約】  本発明は、記録担体の、結晶相と非結晶相との間で可逆変化可能な相を有する情報層を、パルス放射ビームによって照射することにより、その情報層内に、マークの形態でデータを記録し、その情報層内に記録されたマークを、消去パルスシーケンス（３１、３２）により消去する方法および対応の装置に関するものである。少なくともＳＦＦＯドライブのような携帯型光学機器において重要な、電力消費量の顕著な低減を実現するため、本発明によれば、消去パルスシーケンス（３１、３２）内の消去パルスの少なくとも１つを、時間と共に減少する消去パワーレベルを有するものとすることが提案される。本発明はまた、記録担体から情報を読み出す方法および装置にも関するものである。
2007521599.tif 000002
【特許請求の範囲】
【請求項１】
記録担体の、結晶相と非結晶相との間で可逆変化可能な相を有する情報層を、パルス放射ビームによって照射することにより、該情報層内に、マークの形態でデータを記録し、該情報層内に記録されたマークを、消去パルスシーケンスにより消去する方法であって、
前記消去パルスシーケンス内の消去パルスの少なくとも１つが、時間と共に減少する消去パワーレベルを有することを特徴とする方法。
【請求項２】
前記消去パルスシーケンス内の消去パルスの少なくとも１つがｎ個の部分からなり、ｎは１よりも大きな整数であり、ｉ番目の部分がｉ番目の消去パワーレベルを有し、ｉは１とｎとの間の範囲内の整数であり、ｉ番目の部分は（ｉ＋１）番目の部分に先行する部分であり、ｉ番目の消去パワーレベルは（ｉ＋１）番目の消去パワーレベルよりも高いレベルであることを特徴とする請求項１記載の方法。
【請求項３】
前記消去パルスシーケンス内の消去パルスの少なくとも１つが、実質的に同一の持続時間を有するｎ個の部分からなることを特徴とする請求項２記載の方法。
【請求項４】
前記消去パルスシーケンス内の消去パルスの少なくとも１つが、時間と共に連続的に減少する消去パワーレベルを有することを特徴とする請求項１記載の方法。
【請求項５】
前記消去パルスシーケンス内のすべての消去パルスが、時間と共に減少する消去パワーレベルを有することを特徴とする請求項１記載の方法。
【請求項６】
１つの消去パルスシーケンス内のすべての消去パルスが、同一のパルスであることを特徴とする請求項１記載の方法。
【請求項７】
１つの消去パルスシーケンス内の消去パルスの前端部分が、互いに異なる消去パワーレベルを有することを特徴とする請求項１記載の方法。
【請求項８】
前記少なくとも１つの消去パルスの消去パワーレベルの時間依存性が、前記記録担体の特性および消去速度に依存することを特徴とする請求項１記載の方法。
【請求項９】
記録担体の、結晶相と非結晶相との間で可逆変化可能な相を有する情報層を、パルス放射ビームによって照射することにより、該情報層内に、マークの形態でデータを記録し、該情報層内に記録されたマークを消去する光記録装置であって、
前記放射ビームを付与する放射源と、
前記放射ビームのパワーを制御して、前記マークを記録するための書込パルスシーケンスと、記録されたマークを消去するための消去パルスシーケンスとを付与するように動作可能な制御ユニットとを含み、
前記制御ユニットは、記録されたマークを消去するために、前記消去パルスシーケンス内の消去パルスの少なくとも１つが、時間と共に減少する消去パワーレベルを有するパルスとなるよう、前記放射ビームの前記パワーを制御するように動作可能であることを特徴とする光記録装置。
【請求項１０】
記録担体の、結晶相と非結晶相との間で可逆変化可能な相を有する情報層を、パルス放射ビームの読出パルスシーケンスによって照射することにより、該情報層内にマークおよびスペースの形態で記録されたデータを読み出す方法であって、
前記読出パルスシーケンス内の読出パルスの少なくとも１つが、時間と共に減少する読出パワーレベルを有することを特徴とする方法。
【請求項１１】
前記読出パルスシーケンス内の読出パルスの少なくとも１つがｎ個の部分からなり、ｎは１よりも大きな整数であり、ｉ番目の部分がｉ番目の読出パワーレベルを有し、ｉは１とｎとの間の範囲内の整数であり、ｉ番目の部分は（ｉ＋１）番目の部分に先行する部分であり、ｉ番目の読出パワーレベルは（ｉ＋１）番目の読出パワーレベルよりも高いレベルであることを特徴とする請求項１０記載の方法。
【請求項１２】
前記読出パルスシーケンス内の読出パルスの少なくとも１つが、実質的に同一の持続時間を有するｎ個の部分からなることを特徴とする請求項１１記載の方法。
【請求項１３】
前記読出パルスシーケンス内の読出パルスの少なくとも１つが、時間と共に連続的に減少する読出パワーレベルを有することを特徴とする請求項１０記載の方法。
【請求項１４】
前記読出パルスシーケンス内のすべての読出パルスが、時間と共に減少する読出パワーレベルを有することを特徴とする請求項１０記載の方法。
【請求項１５】
１つの読出パルスシーケンス内のすべての読出パルスが、同一のパルスであることを特徴とする請求項１０記載の方法。
【請求項１６】
１つの読出パルスシーケンス内の読出パルスの前端部分が、互いに異なる読出パワーレベルを有することを特徴とする請求項１０記載の方法。
【請求項１７】
前記少なくとも１つの読出パルスの読出パワーレベルの時間依存性が、前記記録担体の特性および読出速度に依存することを特徴とする請求項１０記載の方法。
【請求項１８】
記録担体の、結晶相と非結晶相との間で可逆変化可能な相を有する情報層を、パルス放射ビームの読出パルスシーケンスによって照射することにより、該情報層内にマークおよびスペースの形態で記録されたデータを読み出す光記録装置であって、
前記放射ビームを付与する放射源と、
前記放射ビームのパワーを制御して、情報を読み出すための読出パルスシーケンスを付与するように動作可能な制御ユニットとを含み、
前記制御ユニットは、前記情報を読み出すために、前記読出パルスシーケンス内の読出パルスの少なくとも１つが、時間と共に減少する読出パワーレベルを有するパルスとなるよう、前記放射ビームの前記パワーを制御するように動作可能であることを特徴とする光記録装置。
【発明の詳細な説明】
【技術分野】
【０００１】
本発明は、記録担体の、結晶相と非結晶相との間で可逆変化可能な相を有する情報層を、パルス放射ビームによって照射することにより、その情報層内に、マークの形態でデータを記録し、その情報層内に記録されたマークを、消去パルスシーケンスにより消去する方法および対応の装置に関するものである。本発明はさらに、記録担体の情報層をパルス放射ビームの読出パルスシーケンスによって照射することにより、情報層内にマークおよびスペースの形態で記録されたデータを読み出す方法および対応の装置にも関するものである。
【背景技術】
【０００２】
携帯型機器においては、電力消費は重要な問題である。最近のバッテリーの寿命は顕著に改善されてきたものの、携帯型機器の動作時間を延ばすことは常に追求されている。ＳＦＦＯ（ｓｍａｌｌ  ｆｏｒｍ−ｆａｃｔｏｒ  ｏｐｔｉｃａｌ）ディスクは、あらゆる種類の手持型の機器に適した、書換可能なドライブである。ＳＦＦＯシステムは、ブルーレイディスク（ＢＤ）技術に基づいており、記録媒体内へのデータの書込みに、青色レーザーダイオード等の青色レーザーを用いる。典型的なＢＤレーザーパワー方式は、書込パワー、低いレーザーパワー（バイアスレベル）を有する冷却ギャップ、消去パワー、および読出パワーからなる。すべての場合において、レーザーダイオードはオン状態であり、レーザー出力は、非常に小さい出力（バイアスレベルについて典型的には０．１ｍＷ）から極めて高い出力（書込用に約１０ｍＷ）までに亘る。これらの数値は、レーザーダイオードで消費される全電力のたった１０％しか構成しない。これは、非常に大きな閾値電流が伴っているためである。レーザーの電力消費量を減らすため、レーザーダイオードがバイアスレベルに保持されずに完全にスイッチオフされる、新型の書込み方式も提案された。しかしながら、レーザー電流の完全なスイッチオフは、より緩傾斜のパルス応答をもたらしてしまう。
【発明の開示】
【発明が解決しようとする課題】
【０００３】
本発明の１つの目的は、低減されたレーザー電力消費量が得られるような、とりわけＳＦＦＯドライブ等の携帯型光学機器に適用された場合に低減されたレーザー電力消費量が得られるような、記録方法ならびに装置および読出方法ならびに装置を提供することである。
【課題を解決するための手段】
【０００４】
本発明によれば、上記の目的は、請求項１に記載された、消去パルスシーケンス内の消去パルスの少なくとも１つが、時間と共に減少する消去パワーレベルを有する方法により達成される。放射源と制御ユニットとを備えた対応の装置は、請求項９において規定されている。
【０００５】
相変化型記録の場合、消去パルスは、典型的には、書込パルスのパルストレイン間において、古いマークを消去するために施される。ほとんどのアプリケーションでは、消去パワーはＤＣ型の信号であり、そのレベルは一定である。パルス型消去方式は、隣接トラックへの温度漏れを最小に抑えることが知られている（隣接トラックへの熱漏れは、青色ランド／グルーブ記録（ブルーレイディスクの前身技術）の開発において突き当たった問題であった）。本発明は、電力消費量を最小に抑えるため、とりわけ携帯型機器（ＳＦＦＯ）における電力消費量を最小に抑えるための、かかるパルス型消去方式の修正技術に関するものである。
【０００６】
ブロック形状のパルスは、典型的には、パルス応答に関して非常に特徴的な、安定した温度上昇をもたらす（ただしここでは、線形的な記録速度を伴うものとする）。上り階段状のパルスは、幾分遅延させられた温度上昇をもたらし、より急傾斜の温度上昇を生じさせる。下り階段状のパルスは、それと逆の所望の挙動、すなわち時間に対して多かれ少なかれ一定かつより低い温度をもたらす。この挙動は、媒体の温度が低いときに、より高いレーザーパワーが適用されるという洞察から理解できよう。レーザーパワーがオン状態にある最初の時間刻み幅の後、記録スタックが熱せられ、レーザーパワーはその増加していく温度を補償するように適切に減少させられる。
【０００７】
本発明のいくつかの好ましい実施形態が、従属請求項において規定されている。１つの可能性は、下り階段状の形状を有する消去パルスを用いること、すなわち、消去パルスシーケンス内の消去パルスの少なくとも１つがｎ個の部分からなり、ｎは１よりも大きな整数であり、ｉ番目の部分がｉ番目の消去パワーレベルを有し、ｉは１とｎとの間の範囲内の整数であり、ｉ番目の部分は（ｉ＋１）番目の部分に先行する部分であり、ｉ番目の消去パワーレベルは（ｉ＋１）番目の消去パワーレベルよりも高いレベルであるような消去パルスを用いることである。好ましくは、上記の消去パルスシーケンス内の消去パルスの少なくとも１つは、実質的に同一の持続時間を有するｎ個の部分からなるものとされる。ステップの数、ステップサイズ、持続時間等のパラメータは、記録担体に強く依存し、とりわけ情報層の数、使用される材料ならびにそれらの厚さ、および記録速度に強く依存する。一般的には、ステップの数は２とＮとの間の数とされ得る。ここで、Ｎは少なくとも２０である。ステップサイズは、最も高い消去パワーレベルの２％と９９％との間（好ましくは５％と１０％との間）のサイズとされ得る。
【０００８】
本発明の別の１つの実施形態によれば、消去パルスシーケンス内の消去パルスの少なくとも１つが、時間と共に連続的に減少する消去パワーレベルを有するものとされる。すなわち、消去パワーレベルの減少は、減少が線形的であるランプ（ｒａｍｐ）状の形状を有するものであってもよい。しかしながら、たとえば時間と共に放物線状の減少を示すといったように、他の減少形状が用いられてもよい。
【０００９】
一般的には、ランプ形状の立下りエッジの方が、階段形状のエッジよりも好ましい。しかしながら、限られた時間分解能のもとでは、階段形状が論理的な結果である。光記録装置では、離散的なレベルの数は限られているので、典型的には、動的な分解能（パワーレベルの数）と時間刻み数との間で、妥協点が見出される。書込方式の最適化が時間領域内で行われ、書込挙動の微調整が時間のシフトにより行われる光記録装置もあれば、パワーレベルの微調整により微調整が行われる光記録装置もある。したがって、時間分解能のため、ランプ状ではなく階段状の挙動の規定を余儀なくされる場合もある。しかしながら、たとえば超高速記録の場合のように、指数関数的に減少するパワーといったような、通常からはずれたプロファイルが有利な場合もあり得る。
【００１０】
また、消去パルスシーケンス内のすべての消去パルスが、時間と共に減少する消去パワーレベルを有することがさらに好ましい。しかしながら、１つのみまたはいくつかのみの消去パルスが、時間と共に減少する消去パワーレベルを有し、同じ消去パルスシーケンス内の他のパルスが、一定の消去パワーレベルを有していてもよい。さらには、制御を可能な限り容易にするためには、１つの消去パルスシーケンス内のすべての消去パルスが、同一のパルスとされてもよい。
【００１１】
また、１つの消去パルスシーケンス内の消去パルスの前端部分が、互いに異なる消去パワーレベルを有していてもよい。すなわち、１つのシーケンス内の消去パルスが、異なる高さで始まってもよい。さらに、すべての消去パルスが、異なるステップ持続時間およびステップサイズ、または異なる減少形状を有していてもよい。
【００１２】
個々の記録担体および消去速度に対して可能な限りの最良の消去方式を適用するため、消去パワーレベルは、記録担体の特性および消去速度に依存して制御されてもよい。
【００１３】
本発明の目的は、放射ビームを付与する放射源と、放射ビームのパワーを制御して、マークを記録するための書込パルスシーケンス、および記録されたマークを消去するための消去パルスシーケンスを付与するように動作可能な制御ユニットとを含む、請求項９記載の光記録装置によっても達成される。上記の制御ユニットはさらに、記録されたマークを消去するために、消去パルスシーケンス内の消去パルスの少なくとも１つが、時間と共に減少する消去パワーレベルを有するパルスとなるよう、放射ビームのパワーを制御するように動作可能とされる。かかる制御ユニットは、一般に知られているアナログ装置またはデジタル装置により実装することができる。さらには、適当なコンピュータプログラムによりプログラミングされた、プログラミング可能な信号処理ユニットによっても、上記の制御ユニットを実装することができる。
【００１４】
下り階段状のパルス形状はまた、ディスクの反復読出性能を改善するのにも利用することができる。その場合、記録担体から受け取る信号の信号対雑音比を犠牲にすることなく、合計の読出パワーを低減させることができる。ここで、読出パワーの低減が、読出サイクル数を改善することはよく知られている。このことは、書き込まれたマークの劣化が、著しく引き延ばされることを意味する。本発明に係る、記録担体から情報を読み出すための１つの適切な方法が、請求項１０に規定されている。対応の装置は、請求項１８に規定されている。それらの好ましい実施形態は、各従属請求項において規定されている。
【発明を実施するための最良の形態】
【００１５】
以下、図面を参照して、本発明をより詳細に説明する。
【００１６】
パルス状の消去レベル（いわゆるパルス型消去）は、ブルーレイディスクシステムの初期の段階（前身のＤＶＲランド／グルーブシステム）において既に提案されている。パルス型消去方式は、高速成長材料（たとえばドープされたＳｂＴｅ配合物）に対しては、適切に作用するように見えた。パルス型消去は、多かれ少なかれ、消去パルスによって生じる温度ピークが重畳された、ＤＣ型の温度上昇をもたらす。このことは、図１に図解されている。図１には、一定のエネルギーを含むがデューティーサイクルが変化させられている５種類の異なるパルス長（単位ナノ秒）について、パルスレーザー方式に対する温度応答が示されている。２．５ナノ秒のパルス長は、１００％のＤＣ（一定ＤＣパワー）をもたらす。
【００１７】
パルス応答の違いを分かりやすく示すため、図１の部分拡大グラフが、図２に示されている。相変化材料の結晶化速度は、温度に依存する。長く一定であるが緩やかな温度上昇は、完全な消去（非結晶マークが完全に消去される）をもたらし得るが、十分高くかつ長い温度ピークを伴うパルス型方式もまた、完全な消去をもたらし得る。
【００１８】
ＳＦＦＯ型のシステムにおけるパルス型消去の効果を調べるため、マークの形成および消去のシミュレーションが行われた。最初のサイクルでは、パルス型方式を用いてマークが書き込まれた。２回目のサイクルでは、パルス型消去方式を用いてマークが消去された。パルスのデューティーサイクルは、１２．５％と１００％との間で変化させられ（１００％のデューティーサイクルは、一定の消去パワー（ＤＣ消去）に対応する）、パルスの周波数は、３９ＭＨｚと１５６ＭＨｚとの間で変化させられた。図３には、ディスク上に存在する非結晶マークの完全な消去を得るために必要な最小消去パルスパワーが、印加されるデューティーサイクルの関数として示されている。より高いパルス周波数、すなわちより短いパルスが、完全な消去を引き起こすためのより高い消去パワーに繋がることが見て取れる。その場合、パルス温度はより高くなるが、それに従って、高い温度を被る時間はより短くなる。
【００１９】
デューティーサイクルをさらに低減させるため、本発明によれば、時間と共に減少する消去パワーレベルを有する消去パルス（たとえば、下り階段状の消去パルス）を用いることが提案される。そのようなパルスが、他の２つのパルス形状例（すなわち、上り階段状のパルスおよびブロック形状のパルス）と共に、図４に示されている。ＳＦＦＯ条件（線速度ＬＶ＝２．０９ｍ／秒、開口数ＮＡ＝０．８５、レーザー光の波長λ＝４０５ｎｍ）に対する対応の温度−時間応答が、図５に示されている。ブロック形状のパルスは、典型的には、パルス応答に関して非常に特徴的な、安定した温度上昇をもたらす（ただし、ここでは線形記録速度を伴うものとする）。上り階段状のパルスは、幾分遅延した温度上昇をもたらし、それにより、さらに急傾斜の温度上昇を生じさせる。下り階段状のパルスは、その逆の所望の挙動をもたらす。すなわち、時間内において多かれ少なかれ一定かつより低い温度がもたらされる。この挙動は、媒体の温度が低いときに、より高いレーザーパワーが適用されるという洞察から、理解できよう。レーザーパワーがオン状態にある最初の時間刻み幅の後、スタックが熱せられ、レーザーパワーはその増分していく温度を補償するように適切に減少させられる。このことは、本発明により提案される、下り階段状のパルス形状へと繋がる。
【００２０】
さらなるシミュレーションの結果が、図６に示されている。ここでは、下り階段状のパルス内のパワーレベルが変化させられ、１つのケースではほとんど平坦な温度−時間プロファイルをもたらすように変化させられている。消去中においてそのような一定の温度レベルを用いることの大きな利点は、結晶化時間（消去パルスの持続時間）を、使用される相変化材料の最大結晶化速度に対して最適化できることである。ここで、そのような最適化が、消去パルスの長さのさらなる低減に繋がり、ひいてはディスクの消去能力を犠牲にすることなくシステムの電力消費量の低減に繋がることは明らかである。
【００２１】
最後に、下り階段状のパルス形状、あるいはより広くは減少していくパワーレベルを有する消去パルスはまた、ディスクの反復読出性能の改善にも利用することができる。その場合、ディスクから受け取られた信号の信号対雑音比を犠牲にすることなく、合計の読出パワーを低減させることができる。低減させられた読出パワーは、読出サイクルの数を改善することがよく知られている。そのことは、書き込まれたマークの劣化が、著しく引き延ばされることを意味する。
【００２２】
図７ａから７ｆは、デジタルデータ信号１０と、本発明に係る方法で使用される制御信号の種々の実施形態２０、３０、４０、５０および６０とを示した図である。図７ａは、デジタルデータ信号１０の値を、時間の関数として与えている。この信号の値は、記録されるべき情報を表している。図示されている例では、データ信号１０は、連続して、３Ｔのスペース、４Ｔのマーク、６Ｔのスペース、および７Ｔのマークを含んでいる。Ｔは、参照／データクロックの周期であり、チャネルビット周期とも呼ばれる。
【００２３】
データは、結晶相と非結晶相との間で可逆変化可能な相を持つ情報層を有する、書換可能型の光記録担体に書き込まれる。マークを書き込むためのパルス放射ビームで情報層内のトラックを照射することにより、データを表すマークが、そのトラックに沿って書き込まれる。また、マークを消去するためのパルス放射ビームで情報層内のトラックを照射することにより、データを表すマークが、そのトラックに沿って消去される。書換時においては、書込パルス同士の間において、古いマークを消去するために消去パルスが施される。
【００２４】
従来技術に従う制御信号の１つの形態２０が、図７ｂに示されている。この制御信号は、Ｎ−１書込方式を用いている。すなわち、ＮＴの時間長を有するマークを書き込むための書込パルスの数がＮ−１であり、すなわち、４Ｔのマークを書き込むには３個の書込パルス２１が、７Ｔのマークを書き込むには６個の書込パルス２２が施される。以前に書き込まれたマークは、一定の消去パワーレベルを有するブロック形状の消去パルス２３および２４を施すことにより、スペースを書き込む際に消去される。
【００２５】
本発明によれば、書き込まれたマークを消去するために、図７ｂに示したような単一のブロック形状の消去パルスのみを用いるのに代えて、消去パルスシーケンスが用いられる。そのシーケンス中の消去パルスの数は、書込パルスシーケンス中の書込パルスの数と同様に、ＮＴの時間長を有するスペースの書込みに対して（Ｎ−１）Ｔであってもよい。しかしながら、消去パルスの数は異なってもよく、たとえばＮであってもよい。さらに、消去パルスシーケンス内の消去パルスのうち少なくとも１つは、時間と共に減少する消去パワーレベルを有するものとされる。そのような消去パルスを示した、本発明に係る制御信号の種々の実施形態が、図７ｃから７ｆに示されている。
【００２６】
図７ｃの制御信号３０は、２個の消去パルスのシーケンス３１と５個の消去パルスのシーケンス３２とを含んでおり、消去パルスはそれぞれ、下り階段状の同一形状を有している。図７ｄは、シーケンス４２中の消去パルスが互いに異なる高さを有するような、すなわち各消去パルスの個々の部分のステップサイズおよびパワーレベルが異なるレベルを有し得るような、制御信号４０の実施形態を示している。しかしながら、同じく図７ｄに示されているように、消去パルスシーケンス４１は同一の消去パルスを示していることから、上記の異なる高さは、すべての消去パルスシーケンスに適用されてはならない。
【００２７】
さらに、図７ｅの制御信号５０に示されているように、すべての消去パルスが下り階段状の形状を有していなくてはならない訳ではない。消去パルスシーケンス５２中において、単一消去パルス５２１が一定の消去パワーレベルとブロック状の形状とを有し、その他の消去パルス５２２が下り階段形状を有するようにすることも可能である。加えて、図７ｆに制御信号６０について図示されているように、消去パルスシーケンス６２内の消去パルスが、異なる刻み幅を有することも可能であり、さらには、１つの消去パルスが省かれることも可能である。
【００２８】
図７ｃに示した実施形態は、ディスクの消去能力を犠牲にすることなく電力消費量を最小限に抑えるための、１つの方法である。パワー振幅を低減すること（消去パルス１から４）の１つの利点としては、記録スタックの加熱を部分的に補償することが考えられる。スタックを介した熱拡散は、レーザースポットより先のディスクの一部を加熱する。その場合、（マークの消去のために）最適な再結晶化温度を実現するのに必要なパワーは、より低くなる。たとえば、より高い振幅を有する最後の消去パルスが施されて、スタックが予備加熱されることにより、次のマークの書込みが可能とされる。その場合、必要な書込パワーはより低くなる。そのような手法は、高速記録に有利であるかもしれない。
【００２９】
図７ｅに示した実施形態は、ブロック形状の消去パルスと、階段形状の消去パルスとの組合せである。この場合、節減される電力はより少ないが、消去能力はおそらくより良くなる。かかるパルス方式は、業者間における上書きに有利であるかもしれない。たとえば、異なる装置中で書き込まれたデータが、現在のドライブ内で上書きされる場合等である。生じ得るマークの大きさの違い（古いデータがより高いパワーで書き込まれたかもしれないことが、より大きなマーク幅をもたらし得る）は、追加のパワーにより補償され得る。
【００３０】
図７ｆに示した実施形態は、消去パルスのトレインの前後に施される書込パルスを考慮に入れた、熱バランス方式であると解釈することができる。
【００３１】
図８は、読出時における放射ビームのパワーレベルを制御するための、本発明に従う制御信号の１つの実施形態７０を示した図である。この制御信号７０を用いることにより、情報信号１０（図７ａ）を読み取ることができる。図示されているように、制御信号７０は、時間と共に減少する階段状の形状の読出パワーレベルを有する、同一の読出パルス７１のシーケンスを含む。しかしながら、読出パルスは、上記で説明され図７ｃから７ｆに図示されたような、他のかつ／または互いに異なる形状を有していてもよい。こうして、記録担体から受け取られる信号の信号対雑音比を犠牲にすることなく、合計の読出パワーを低減させることができる。
【００３２】
ここで、本発明は、図７ａから７ｆおよび図８に示した実施形態に限定されるものではなく、多くの変更形態が可能である点に留意されたい。少なくとも１つのパルスが時間と共に減少する消去パワーレベルを有する消去パルスシーケンス内の消去パルス、または少なくとも１つのパルスが時間と共に減少する読出パワーレベルを有する読出パルスシーケンス内の読出パルスを用いることにより、電力消費量の顕著な低減を実現することができる。この電力消費量の顕著な低減は、少なくともＳＦＦＯドライブのような携帯型の光ドライブにとっては重要である。
【図面の簡単な説明】
【００３３】
【図１】パルス型レーザーパワー方式に対する典型的な温度−時間応答を示したグラフ
【図２】図１に示した温度−時間応答の拡大グラフ
【図３】完全な消去を生じさせる最小消去パワーの計算値を、印加される消去パルスのデューティーサイクルの関数として示したグラフ
【図４】３つの異なるパルス形状を示した図
【図５】図４に示した３つの異なるパルス形状について、パルス型消去方式に対する温度−時間応答を示したグラフ
【図６】さらに別のパルス形状について、パルス型消去方式に対する温度−時間応答を示したグラフ
【図７ａ】データ信号の時間依存性を示した図
【図７ｂ】記録時における放射ビームのパワーレベルを制御する制御信号の、本発明に従う１つの実施形態を示した図
【図７ｃ】記録時における放射ビームのパワーレベルを制御する制御信号の、本発明に従う別の１つの実施形態を示した図
【図７ｄ】記録時における放射ビームのパワーレベルを制御する制御信号の、本発明に従う別の１つの実施形態を示した図
【図７ｅ】記録時における放射ビームのパワーレベルを制御する制御信号の、本発明に従う別の１つの実施形態を示した図
【図７ｆ】記録時における放射ビームのパワーレベルを制御する制御信号の、本発明に従う別の１つの実施形態を示した図
【図８】読出時における放射ビームのパワーレベルを制御する制御信号の、本発明に従う１つの実施形態を示した図
【図１】
2007521599.tif 000003
【図２】
2007521599.tif 000004
【図３】
2007521599.tif 000005
【図４】
2007521599.tif 000006
【図５】
2007521599.tif 000007
【図６】
2007521599.tif 000008
2007521599.tif 000009
2007521599.tif 000010
【図８】
2007521599.tif 000011
【国際調査報告】
2007521599.tif 000012
2007521599.tif 000013
2007521599.tif 000014
2007521599.tif 000015